(57)【特許請求の範囲】
【請求項１】
床面に載置して使用する空気調節機器であって、
稼動部が内部に配置された筐体と、
前記筐体の外側に配置され、前記稼動部の稼動状況を表示するための表示装置と、
前記筐体の上部に設置された吹出口と
を備え、
前記表示装置は、光を発するための発光体と、
前記発光体を蓋うように形成された蓋部を有する蓋部材と
を含み、
前記蓋部は、前記筐体を正面から見たときに、少なくともその頂部が、前記筐体から上方に突出するように形成され、
前記蓋部は、断面形状が略Ｖ字形または略コの字形になるように形成され、
前記蓋部は、少なくとも前記頂部が前記光を透過または半透過するように形成され、
前記蓋部材は、前記蓋部が前記吹出口に設置された風向板になるように形成された、空気調節機器。
【請求項２】
前記蓋部は、平面形状が円弧状に形成された、請求項１に記載の空気調節機器。
【請求項３】
前記蓋部材は、前記蓋部の内側に配置され、前記光を散乱するための散乱体を含み、
前記散乱体は、前記発光体と対向するように配置され、
前記散乱体は、表面に前記光の散乱が可能な凹凸を有する、請求項１または２に記載の空気調節機器。
【請求項４】
前記蓋部は、内面および外面のうち少なくとも一方に、前記光の散乱が可能な凹凸を有する、請求項１から３のいずれかに記載の空気調節機器。
【請求項５】
前記光を反射するための反射体を含み、
前記反射体は、前記発光体の周りを囲むように形成され、
前記反射体は、前記蓋部の内面に向かって前記光を反射するように形成された、請求項１から４のいずれかに記載の空気調節機器。
【請求項６】
前記稼働部は、イオン発生装置であり、
前記発光体は、前記イオン発生装置によって発生するイオンの発生状況に応じて色を変化させる、請求項１から５のいずれかに記載の空気調節機器。
【発明の詳細な説明】
【技術分野】
【０００１】
本発明は、空気調節機器に関する。
【背景技術】
【０００２】
電気機器の多くは、電気機器の稼動状態を表示するための表示装置を備える。この表示装置は、たとえば、表示板の内部に複数の発光体が配置され、それぞれの発光体が点灯することにより、電気機器の稼働状態を示すように形成されている。
【０００３】
特開平９−１９６４０９号公報においては、横方向に細長形状の表示窓の後方に、ＬＥＤ（発光ダイオード）が配置された空気調和機が開示されている。表示窓には半透明の表示カバーが設けられ、ＬＥＤの後方には反射体が設けられている。表示カバーは、ＬＥＤに近接するほど肉厚としていて、反射体は、ＬＥＤから離反するほど表示カバー側に位置する形状とされている。この構成によれば、表示カバーの表面における輝度の均一化を図ることが可能であり、かつ、コンパクト化の要請にも沿うことが可能な表示部を備えた空気調和機を提供できると開示されている。
【０００４】
特開２００３−１６１４８２号公報においては、発光体と発光体の放つ光をイオン発生装置に反射するための反射カバーと、イオン発生装置を視認する視認窓を有する本体とを備える空気清浄機が開示されている。この空気清浄機においては、イオン発生装置がイオンを発生している間、発光体がたとえば青色の光を発してイオン発生装置を照らす。これを視認窓の外から視認することにより、イオン発生装置が駆動していることを知ることができると開示されている。
【特許文献１】特開平９−１９６４０９号公報
【特許文献２】特開２００３−１６１４８２号公報
【発明の開示】
【発明が解決しようとする課題】
【０００５】
従来の技術における電気機器の表示装置においては、近くからは稼動状態を確認できるものの、離れた場所からは稼動状況を確認しにくいという問題があった。すなわち、主要な稼動部の稼動状況でも、近づいて表示装置の表示を確認する必要があった。
【０００６】
たとえば、上記の特開平９−１９６４０９号公報に開示された表示装置においては、小さな表示部に複数の表示を行なう場合には有用である。しかし、使用者が視認を要望する電気機器の稼働状況を遠くからは、容易に確認することができないという問題がある。また、表示部を電気機器の正面から見たときには表示状況を視認することができるものの、表示部を斜めの方向から見たときに視認しにくいという問題がある。
【０００７】
上記の特開２００３−１６１４８２号公報に開示された空気清浄機においても同様に、遠くからイオン発生装置の稼動状況を視認することが難しいという問題がある。また、正面に対して斜めの方向から見たときに、視認窓を確認しにくいという問題がある。
【０００８】
本発明は、視認性に優れた表示装置を備える空気調節機器を提供することを目的とする。
【課題を解決するための手段】
【０００９】
本発明に基づく空気調節機器は、床面に載置して使用するものであって、稼動部が内部に配置された筐体と、上記筐体の外側に配置され、上記稼動部の稼動状況を表示するための表示装置と、上記筐体の上部に設置された吹出口とを備える。上記表示装置は、光を発するための発光体と、上記発光体を蓋うように形成された蓋部を有する蓋部材とを含む。上記蓋部は、上記筐体を正面から見たときに、少なくともその頂部が、上記筐体から上方に突出するように形成されている。上記蓋部は、断面形状が略Ｖ字形または略コの字形になるように形成されている。上記蓋部は、少なくとも上記頂部が上記光を透過または半透過するように形成されている。上記蓋部材は、上記蓋部が上記吹出口に設置された風向板になるように形成されている。
【００１０】
上記発明において好ましくは、上記蓋部は、平面形状が円弧形状に形成されている。
上記発明において好ましくは、上記蓋部材は、上記蓋部の内側に配置され、上記光を散乱するための散乱体を含む。上記散乱体は、上記発光体と対向するように配置されている。上記散乱体は、表面に上記光の散乱が可能な凹凸を有する。
【００１１】
上記発明において好ましくは、上記蓋部は、内面および外面のうち少なくとも一方に、上記光の散乱が可能な凹凸を有する。
【００１２】
上記発明において好ましくは、上記光を反射するための反射体を含む。上記反射体は、上記発光体の周りを囲むように形成されている。上記反射体は、上記蓋部の内面に向かって上記光を反射するように形成されている。
上記発明において好ましくは、上記可動部がイオン発生装置である。上記発光体は、上記イオン発生装置によって発生するイオンの発生状況に応じて色を変化させる。
【発明の効果】
【００１４】
本発明によれば、視認性に優れた表示装置を備える空気調節機器を提供することができる。
【発明を実施するための最良の形態】
【００１５】
（実施の形態１）
図１から図１１を参照して、本発明に基づく実施の形態１における空気調節機器について説明する。以下に示すそれぞれの実施の形態においては、空気調節機器として、空気清浄機能を有する据え置き型の空気清浄機を例示して説明を行なう。
【００１６】
まず、図１から図５を参照して、本実施の形態における空気清浄機の外観構造について説明する。図１は、本実施の形態における空気清浄機を前側から見たときの斜視図であり、図２は、後側から見たときの斜視図である。図３は、本実施の形態における空気清浄機の平面図である。図４は、本実施の形態における空気清浄機の前面パネル、フィルタ押さえ枠および高機能フィルタの組付け構造を示す分解斜視図である。図５は、本実施の形態における空気清浄機において、前面パネル、フィルタ押さえ枠および高機能フィルタを本体ケーシングから取外した状態の斜視図である。
【００１７】
図１から図３に示すように、本実施の形態における空気清浄機１００は、筐体としての本体ケーシング１１０を備える。空気清浄機１００は、前面パネル１４０を備える。本体ケーシング１１０は、縦長の前面開口の箱状体からなり、その内部には空気清浄機１００の主要部品が納められている。
【００１８】
本体ケーシング１１０の下部には、脚部１１２が設けられている。脚部１１２は、空気清浄機１００を直立状態で床面等に載置するための部位である。本体ケーシング１１０の上面には、操作盤１１６が配置されている。操作盤１１６には、各種操作ボタンや表示ランプ等が配設されている。なお、本体ケーシング１１０は、必要により複数の部材を組合わせることによって構成される。
【００１９】
本体ケーシング１１０の背面には、把手部１１４が設けられている。この把手部１１４は、空気清浄機１００を持ち上げて搬送する際等の利便性を考慮して設けられたものである。また、本体ケーシング１１０の背面からは、電源コード１９０が引き出されている。
【００２０】
前面パネル１４０は、その主面から後方に向かって立設して設けられた側部１４１を有する。前面パネル１４０は、本体ケーシング１１０の前面および側面の一部を覆うように形成されている。前面パネル１４０は、本体ケーシング１１０に着脱自在に形成されている。
【００２１】
図２に示すように、本体ケーシング１１０の側面と前面パネル１４０の側部１４１との間には、隙間が形成されている。この隙間は、吸込口１２４を構成する。吸込口１２４は、外部の空気を内部に導入するための開口部である。本体ケーシング１１０の側面の吸込口１２４に隣接する部分には、周りの空気の清浄度を計測する清浄度計測手段としての埃センサ１３６が配置されている。
【００２２】
図３を参照して、本体ケーシング１１０の上部には、吹出口４１，４２が形成されている。吹出口４１，４２は、装置内部において浄化された空気を装置外部へと導出するための開口部である。
【００２３】
本体ケーシング１１０の操作盤１１６には、空気清浄機１００のオン／オフ動作を切換える電源ボタン１６０、後述するイオン発生装置の運転状態を切換えるイオン発生装置の切換えボタン１６１、空気清浄機１００の運転モードを切換える運転モード切換えボタン１６２、電源オフ状態からワンタッチの操作で特定の運転動作に移行するショートカットボタン１６３等が配設されている。
【００２４】
また、操作盤１１６には、これらボタンに隣接して、イオン発生装置の運転状態を示すイオン発生装置の動作状態表示ランプ１７１、空気清浄機１００の運転モードを表示する運転モード表示ランプ１７２、およびショートカットボタンの運転動作が行なわれているか否かを示すショートカット動作有無表示ランプ１７３等が配設されている。
【００２５】
本実施の形態における空気清浄機１００にあっては、空気清浄機１００の前方からの視認が容易となるように、汚れ状態表示装置１７４が配置されている。汚れ状態表示装置１７４は、光源である発光ダイオード１７４ａを含む。汚れ状態表示装置１７４は、発光ダイオード１７４ａの色彩や輝度等が変調することにより、視覚的に使用者に室内空気の汚れ度合いを示すように形成されている。汚れ状態表示装置１７４は、上述の埃センサ１３６および後述の臭いセンサ１３８（図５参照）を含む清浄度計測手段によって検出された空気の清浄度に応じて表示が切換わるように形成されている。
【００２６】
図４を参照して、本体ケーシング１１０の前側に設けられたフィルタ配置部１１８には、高機能フィルタ１５１が収容される。高機能フィルタ１５１の構成としては、種々の構成を採用することができるが、本実施の形態においては、前面側から順に、脱臭フィルタ１５２、ホルムアルデヒド吸着フィルタ１５３および制菌／集塵フィルタ１５４の３つのフィルタが積層配置されている。これら脱臭フィルタ１５２、ホルムアルデヒド吸着フィルタ１５３および制菌／集塵フィルタ１５４は、前方に配置されるフィルタ押さえ枠１５０が本体ケーシング１１０の前面に固定されることにより、本体ケーシング１１０のフィルタ配置部１１８に保持される。
【００２７】
図５を参照して、本体ケーシング１１０のフィルタ配置部１１８の後方に設けられた仕切り壁１２０には、連通孔１２１が形成されている。連通孔１２１の前面には、金属ガード１２２が配置されている。仕切り壁１２０は、本体ケーシング１１０の内部空間を前方空間Ｓ１と後方空間Ｓ２とに仕切るものである（図６参照）。金属ガード１２２は、メンテナンス作業時等に作業者が過って動作中のファンに指を差し込まないためのガード部材である。また、本体ケーシング１１０の前面には、空気の清浄度計測手段としての臭いセンサ１３８が配置されている。
【００２８】
次に、図６から図８を参照して、本実施の形態における空気清浄機の内部構造および装置本体内部における空気の流れについて説明する。図６は、本実施の形態における空気清浄機の図１に示すＶＩ−ＶＩ線に沿った断面図であり、図７は、図１に示すＶＩＩ−ＶＩＩ線に沿った断面図である。図８は、本実施の形態における空気清浄機において、本体ケーシングの背面部分を構成する部材を取外した状態を示す一部破断断面図である。図６から図８においては、空気の流れを矢印にて示している。
【００２９】
図６および図７に示すように、空気清浄機１００の内部には、仕切り壁１２０が配置されている。仕切り壁１２０の前方には、高機能フィルタ１５１が配置されている。高機能フィルタ１５１の前方には、前面パネル１４０が配置されている。
【００３０】
高機能フィルタ１５１は、前面パネル１４０と仕切り壁１２０との間に位置する前方空間Ｓ１を前後方向に２分割している。高機能フィルタ１５１に仕切られた前方の空間および後方の空間は、それぞれが空気の流路となる。図７を参照して、前方空間Ｓ１は、本体ケーシング１１０の側方において吸込口１２４を通じて外部と連通している。
【００３１】
図６から図８に示すように、仕切り壁１２０の後方には、シロッコファン１３０が配置されている。シロッコファン１３０は、その後方に配置されたモータ１３２によって回転駆動される。なお、仕切り壁１２０に設けられた連通孔１２１は、シロッコファン１３０の吸い込み面と対面して形成されている。
【００３２】
本体ケーシング１１０の後方空間Ｓ２は、本体ケーシング１１０の上部に設けられた吹出口４１，４２に連通している。吹出口４１，４２のそれぞれには、風向板１１，１２が配置されている。風向板１１，１２は、吹出口４１，４２から吹出される空気の風向きを整えるためのものである。
【００３３】
本体ケーシング１１０の後方空間Ｓ２には、流路形成部材１２３が配置されている。流路形成部材１２３は、シロッコファン１３０によって後方空間Ｓ２に導入された空気を吹出口４１，４２に導くための部材である。流路形成部材１２３は、下部においてシロッコファン１３０を取り囲み、上部においてシロッコファン１３０から吹出された空気を吹出口４１，４２に導く形状に形成されている。
【００３４】
後方空間Ｓ２に面する仕切り壁１２０の所定位置には、正イオンおよび負イオンの少なくともいずれか一方を形成するためのイオン発生装置１３４が配置されている。本実施の形態におけるイオン発生装置１３４は、表示装置にて稼動状況を表示する稼動部として配置されている。イオン発生装置１３４においては、イオン発生素子に設けられた電極間に交流電圧を印加することにより、空気中の酸素から水分がイオン化される。イオン発生装置１３４のイオン放出面を空気の流路に対面して配置することにより、発生したイオンを空気の流れに乗せて装置外部へと放出する。
【００３５】
空気清浄機１００にあっては、シロッコファン１３０がモータ１３２によって回転駆動されることにより、本体ケーシング１１０の前方空間Ｓ１において負圧が生じ、本体ケーシング１１０の側方に位置する吸込口１２４を通じて室内の空気が前方空間Ｓ１に取り込まれる（図７参照）。取り込まれた空気は、高機能フィルタ１５１を通過する際に脱臭処理、ホルムアルデヒドの吸着処理、集塵処理および制菌処理が施され、仕切り壁１２０に形成された連通孔１２１を通過して後方空間Ｓ２へと導入される（図６および７参照）。
【００３６】
後方空間Ｓ２に流入した空気は、シロッコファン１３０の外周部から外側に向かって吹出される。シロッコファン１３０から吹出された空気は、流路形成部材１２３に導かれて後方空間Ｓ２内を上昇し、イオン発生装置１３４によって所定濃度の正イオンまたは／および負イオンが付加されて吹出口４１，４２から室に吹出される（図６および８参照）。
【００３７】
次に、図９から図１１を参照して、本実施の形態における空気清浄機の表示装置について説明する。図９は、図２におけるＡ部の分解斜視図である。図９は、本実施の形態における空気清浄機の吹出口の部分の分解斜視図である。図１０は、図６におけるＢ部の拡大断面図である。図１０は、本実施の形態における蓋部材を吹出し部材に載置したときの断面図である。
【００３８】
本実施の形態における空気清浄機は、筐体としての本体ケーシング１１０の外側に配置された表示装置８を備える。表示装置８は、光を発するための発光体２５を含む。本実施の形態においては、発光体２５として、発光ダイオード（ＬＥＤ：light emitting diode）が配置されている。本実施の形態における発光体２５は、青色の点灯および緑色の点灯が可能なように形成されている。
【００３９】
本実施の形態における表示装置８は、発光体２５を載置するための保持部材２を含む。保持部材２は、吹出し部材１に形成された溝部１３に嵌合するように形成されている。本実施の形態における保持部材２は、平面形状が円弧形状に形成されている。
【００４０】
保持部材２は、平面形状の円弧形状の略中央部分に表面から窪んだ凹部２１を有する。凹部２１は、中央部分に向かって凹むように形成されている。凹部２１の中央部分には配置穴２２が形成されている。発光体２５は、配置穴２２に配置されている。
【００４１】
本実施の形態における空気清浄機は、上部の後側に配置された吹出し部材１を有する。本実施の形態における吹出し部材１は、筐体の一部分として配置されている。吹出し部材１は、吹出口４１，４２を有する。吹出し部材１は、吹出口４１，４２に配置された風向板１１，１２を有する。風向板１１，１２は、上側に向かって空気を流すように形成されている。
【００４２】
吹出し部材１は、溝部１３を有する。溝部１３は、空気清浄機の幅方向の略中央部分に配置されている。溝部１３は、吹出口４１と吹出口４２との間に配置されている。本実施の形態における溝部１３は、平面形状が円弧形状に形成されている。溝部１３は、平面視したときに、円弧形状が外側に向かって凸になるように形成されている。
【００４３】
本実施の形態における表示装置８は、蓋部材３を有する。蓋部材３は、吹出し部材１に載置されるように形成されている。蓋部材３は、平面視したときに、閉じた形状に形成されている。
【００４４】
蓋部材３は、発光体２５を覆うように形成された蓋部３１を有する。蓋部３１は、筐体から突出するように形成されている。本実施の形態における蓋部３１は、空気清浄機１００を正面から見たときに、一部分が操作盤１１６の表面よりも高くなるように形成されている。すなわち、空気清浄機１００を正面から見たときに、蓋部３１の頂部を見ることができるように形成されている。
【００４５】
本実施の形態における蓋部３１は、断面形状が略Ｖ字型になるように形成されている。蓋部３１は、光を半透過するように形成されている。本実施の形態においては、透明な樹脂で形成された蓋部３１の内部に塗料が塗布されて、外側から蓋部３１の内部を見ることができないように形成されている。または、蓋部３１において、表面にシボ加工が施されていても構わない。シボ加工が施されていることにより、発光体２５からの光を乱反射させて、蓋部３１の表面を明るく表示させるとともに、外側から蓋部３１の内部を見ることができないように形成することができる。このように、蓋部３１は、発光体２５が発光したときに、外側から見て蓋部３１が明るくなるように形成されている。
【００４６】
図３および図９を参照して、本実施の形態における蓋部３１は、平面形状が円弧形状になるように形成されている。蓋部３１は、平面視したときに円弧形状が外側の向かって凸になるように配置されている。
【００４７】
図１０を参照して、本実施の形態における蓋部３１は、溝部１３の形状に沿うように形成されている。吹出口４２から吹出される空気の一部は、矢印５２に示すように、枠部材７と蓋部材３との間を流れる。このように、本実施の形態における蓋部３１は、風向板になるように形成されている。
【００４８】
図３および図９を参照して、本実施の形態における空気清浄機は、枠部材７を有する。枠部材７は、主表面が鉛直方向に延びるように形成された板部２８を有する。図１０を参照して、枠部材７は、板部２８が、蓋部材３の内側の領域を二分するように形成されている。枠部材７が配置されることによって、矢印５１，５２に示すように、吹出口４２から吹出される空気が二分される。このように、枠部材７は、風向板になるように形成されている。
【００４９】
本実施の形態における表示装置は、稼動部としてのイオン発生装置の稼動状況を示すための装置である。または、本実施の形態における表示装置は、空気の経路に配置されたイオン発生装置（図６参照）によって発生するイオンの放出状況を表示するように形成された装置である。本実施の形態においては、イオン発生装置の動作がクリーン運転（正イオンと負イオンとを略同数発生させる運転）のときには、発光体を青色に点灯する。また、イオンコントロール運転（正イオンよりも負イオンを多く発生させる運転）のときには、発光体を緑色に点灯する。除菌シャワー運転（クリーン運転よりも約２倍以上の多量の正負イオンを発生させる運転）のときには、発光体を青と緑との混合色で点灯する。さらに、除菌シャワー運転のときには、青と緑との光量を変化させて混合色の色も変化させる。
【００５０】
図１０を参照して、発光体２５が発光すると、矢印５３に示すように、光が直接的に蓋部材３の蓋部３１に向かう。本実施の形態における表示装置は、蓋部３１の少なくとも一部分が明るく光る。図３を参照して、本実施の形態においては、発光領域Ｒが明るく輝く。本実施の形態における表示装置は、イオン発生装置の稼動状況により色が定められているため、発光体の色を視認するだけで、空気清浄機の稼動状況を把握することができる。また、離れた位置においても、空気清浄機の稼動状況を視認することができる。
【００５１】
また、本実施の形態においては、蓋部材３の蓋部３１の平面形状が円弧形状に形成されている。この構成を採用することにより、斜めから空気清浄機を見たときにも、容易に表示装置の発光状況を視認することができる。たとえば、空気清浄機の斜め前方から空気清浄機の表示装置を見たときにも、表示装置が発する光の色を容易に視認することができる。
【００５２】
図９および図１０を参照して、本実施の形態においては、保持部材２が反射体として形成されている。本実施の形態においては、保持部材２の凹部２１の内側に、めっき膜が形成されている。発光体２５は、凹部２１の内側に配置されている。凹部２１は、反射体の周りを取囲むように形成されている。凹部２１は、矢印５４に示すように、発光体２５からの光を蓋部３１の内面に向かって反射するように形成されている。この構成を採用することにより、発光体２５からの光をより効率的に、蓋部３１に向かって導くことができ、蓋部材３の蓋部３１の輝度が向上する。また、反射体を配置することにより、斑状に蓋部３１が明るくなることを抑制できる。
【００５３】
本実施の形態における蓋部材は、吹出し部材に載置されている。蓋部材は、平面視したときに蓋部の円弧形状の内側が吹出口になるように形成され、蓋部が風向板になるように形成されている。このように、本実施の形態における空気清浄機は、表示装置の一部を風向板として用いることができる。また、風向板を大きくすることができ、空気を安定した方向に吹出すことができる。
【００５４】
図１１に、本実施の形態における他の蓋部材の断面図を示す。蓋部材４は、蓋部３２を有する。蓋部３２は、断面形状が略Ｖ字型に形成されている。蓋部３２は、前側の傾斜部分の内面３６および外面３７に、発光体からの光の散乱が可能な凹凸が形成されている。
【００５５】
蓋部の内面および外面のうち、すくなくとも一方の表面に光の散乱が可能な凹凸が形成されていることにより、蓋部が斑状に明るくなることを抑制できる。または、蓋部が透明部材で形成されている場合には、内部の光源などが見えないように、蓋部の表面をぼかすことができる。
【００５６】
本実施の形態においては、蓋部の断面形状が略Ｖ字型に形成されているが、この形態に限られず、略コの字形になるように形成されていても構わない。すなわち、蓋部は、頂面を有していても構わない。
【００５７】
また、本実施の形態における蓋部は、内面に塗料が塗布されて、発光体の光を半透過するように形成されているが、この形態に限られず、発光体の光をすべて透過するように形成されていても構わない。
【００５８】
本実施の形態における発光体は、２色の色を発するように形成されているが、この形態に限られず、発光する色は１色であっても３色以上であっても構わない。または、本実施の形態においては発光体が１つ配置されているが、この形態に限られず、複数の発光体が配置されていても構わない。
【００５９】
本実施の形態においては、稼動部としてイオン発生装置が配置されているが、この形態に限られず、稼動部は、空気調節機器において任意の稼動する部分であれば構わない。
【００６０】
本実施の形態においては、空気調節機器として、空気清浄機を取り上げて説明を行なったが、この形態に限られず、本実施の形態における表示装置は、任意の空気調節機器に適用することができる。たとえば、冷房機や除湿機などの空気調節機器に本発明を適用することができる。
【００６１】
また、本発明における空気調節機器とは、機器外部から機器内部に空気を導入して、導
入した空気に何らかの処理を施した上で機器外部へと送出する装置を指す。空気調節機器は、上述の据え置き型の空気清浄機のほかに、車載用の空気清浄機、さらには、空気調和機、除湿機、加湿器、電気ヒータ、石油ストーブ、石油ファンヒータ、ガスヒータ等を含む。
【００６２】
図１２から図１４を参照して、本発明に基づく実施の形態２における空気調節機器について説明する。本実施の形態においては、吹出し部材に載置された蓋部材の構成が実施の形態１と異なる。
【００６３】
図１２に、本実施の形態における蓋部材を吹出し部材に載置したときの断面図を示す。本実施の形態における蓋部材５は、蓋部３３の内部に配置された散乱体３４を含む。散乱体３４は、発光体２５に対向するように配置されている。
【００６４】
図１３に、図１２におけるＸＩＩＩ−ＸＩＩＩ線に関する矢視断面図を示す。図１４に、図１３におけるＸＩＶ−ＸＩＶ線に関する矢視断面図を示す。本実施の形態における散乱体３４は、板状に形成されている。散乱体３４は、蓋部３３の側壁から内側に向かって飛び出すように配置されている。散乱体３４は、表面に複数の凸部３８を有する。凸部３８は、四角錘状に形成されている。散乱体３４の表面に凸部３８が配列して形成されることにより、散乱体３４の表面の凹凸が形成されている。
【００６５】
図１３を参照して、散乱体３４は、発光体２５が配置された凹部２１を覆うように形成されている。すなわち、平面視したときに保持部材２の凹部２１よりも散乱体３４が大きくなるように形成されている。
【００６６】
図１２を参照して、発光体２５からの光は、直接的に散乱体３４に入射する。または、発光体２５からの光は、凹部２１の表面で反射して散乱体３４に入射する。散乱体３４の表面に凹凸が形成されていることにより、矢印５５に示すように、光をさまざまな方向に散乱することができる。この結果、蓋部３３が斑状に明るくなることを抑制できる。また、蓋部のより広い範囲を明るくすることができる。
【００６７】
本実施の形態における散乱体は、板状に形成されているが、この形態に限られず、任意の形状を採用することができる。また、本実施の形態においては、保持部材の凹部の全体を覆うように、散乱体が形成されているが、この形態に限られず、任意の大きさの散乱体を採用することができる。
【００６８】
その他の構成、作用および効果については、実施の形態１と同様であるのでここでは説明を繰返さない。
【００６９】
上記の実施の形態に係るそれぞれの図面において、同一または相当する部分には、同一の符号を付している。
【００７０】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７１】
【図１】実施の形態１における空気清浄機を前側から見たときの斜視図である。
【図２】実施の形態１における空気清浄機を後側から見たときの斜視図である。
【図３】実施の形態１における空気清浄機の平面図である。
【図４】実施の形態１における空気清浄機の分解斜視図である。
【図５】実施の形態１における空気清浄機から前面パネルおよびフィルタを取外したときの斜視図である。
【図６】実施の形態１における空気清浄機の一の断面図である。
【図７】実施の形態１における空気清浄機の他の断面図である。
【図８】実施の形態１における空気清浄機の一部破断断面図である。
【図９】実施の形態１における空気清浄機の吹出口の部分の分解斜視図である。
【図１０】実施の形態１における空気清浄機の吹出口の部分の断面図である。
【図１１】実施の形態１における他の蓋部材の断面図である。
【図１２】実施の形態２における空気清浄機の吹出口の部分の断面図である。
【図１３】実施の形態２における散乱体の平面図である。
【図１４】実施の形態２における散乱体の断面図である。
【符号の説明】
【００７２】
１  吹出し部材、２  保持部材、３〜５  蓋部材、７  枠部材、８  表示装置、１１，１２  風向板、１３  溝部、２１  凹部、２２  配置穴、２５  発光体、２８  板部、３１〜３３  蓋部、３４  散乱体、３６  内面、３７  外面、３８  凸部、４１，４２  吹出口、５１〜５５  矢印、１００  空気清浄機、１１０  本体ケーシング、１１２  脚部、１１４  把手部、１１６  操作盤、１１８  フィルタ配置部、１２０  仕切り壁、１２１  連通孔、１２２  金属ガード、１２３  流路形成部材、１２４  吸込口、１３０  シロッコファン、１３２  モータ、１３４  イオン発生装置、１３６  埃センサ、１３８  臭いセンサ、１４０  前面パネル、１４１  側部、１５０  フィルタ押さえ枠、１５１  高機能フィルタ、１５２  脱臭フィルタ、１５３  ホルムアルデヒド吸着フィルタ、１５４  制菌／集塵フィルタ、１６０  電源ボタン、１６１  イオン発生装置の切換えボタン、１６２  運転モード切換えボタン、１６３  ショートカットボタン、１７１  イオン発生装置の動作状態表示ランプ、１７２  運転モード表示ランプ、１７３  ショートカット動作有無表示ランプ、１７４  汚れ状態表示装置、１７４ａ  発光ダイオード、１９０  電源コード、Ｓ１  前方空間、Ｓ２  後方空間、Ｒ  発光領域。
【図１】
0004712466.tif 000002
【図２】
0004712466.tif 000003
【図３】
0004712466.tif 000004
【図４】
0004712466.tif 000005
【図５】
0004712466.tif 000006
【図６】
0004712466.tif 000007
【図７】
0004712466.tif 000008
【図８】
0004712466.tif 000009
【図９】
0004712466.tif 000010
【図１０】
0004712466.tif 000011
【図１１】
0004712466.tif 000012
【図１２】
0004712466.tif 000013
【図１３】
0004712466.tif 000014
【図１４】
0004712466.tif 000015